(57)【要約】体積変調着色生成物質（６）と、物質を細長いコアの形で封じ込め、少なくとも部分的に光透過性である格納手段（８）と、物質の体積における変化を生成するよう物質を刺激し、それにより、フィラメント又はファイバの色を変化する刺激手段（４）を有するフィラメント又はファイバ（２）。
2007521420.tif 000002
【特許請求の範囲】
【請求項１】
体積変調着色生成物質と、
前記物質を細長いコアの形で封じ込め、少なくとも部分的に光透過性である格納手段と、
前記物質の体積における変化を生成するよう前記物質を刺激し、それにより、フィラメント又はファイバの色を変化する刺激手段と、
を有するフィラメント又はファイバ。
【請求項２】
前記物質は、体積変調着色剤を有する請求項１記載のフィラメント又はファイバ。
【請求項３】
前記体積変調着色剤は、人工色素細胞を有する請求項２記載のフィラメント又はファイバ。
【請求項４】
前記体積変調着色剤は、ポリマーゲル粒子を有し、
前記粒子は、水溶液中に浸漬され、
前記ポリマーゲル粒子及び前記水溶液はともに前記物質を形成する請求項２又は３記載のフィラメント又はファイバ。
【請求項５】
前記ポリマーゲル粒子は、５乃至１００μｍの範囲内の直径を有する請求項３記載のフィラメント又はファイバ。
【請求項６】
前記ポリマーゲル粒子の濃度は、５乃至４０重量％であり、
前記ゲルの固形成分含有量は、１乃至１０重量％の範囲にある請求項４又は５記載のフィラメント又はファイバ。
【請求項７】
前記格納手段は、外側シースを有する請求項１乃至６のうちいずれか一項記載のフィラメント又はファイバ。
【請求項８】
前記外側シースは、透明である請求項７記載のフィラメント又はファイバ。
【請求項９】
前記外側シースは、弾性ポリマーから形成される請求項７又は８記載のフィラメント又はファイバ。
【請求項１０】
前記刺激手段は、前記物質を加熱する加熱手段を有し、
前記体積変調着色剤は、温度に応じて変化する体積を有するタイプの着色剤である請求項２乃至９のうち何れか一項記載のフィラメント又はファイバ。
【請求項１１】
前記加熱手段は、前記細長いコアの中を実質的に軸方向に延在する内側電極を有する請求項１０記載のフィラメント又はファイバ。
【請求項１２】
前記加熱手段の中に電流を流す手段を更に有する請求項１０又は１１記載のフィラメント又はファイバ。
【請求項１３】
前記内側電極は、数十μｍ乃至数百μｍ、一般的に１００μｍだけ前記格納手段から間隔が置かれる請求項１１又は１２記載のフィラメント又はファイバ。
【請求項１４】
前記刺激手段は、前記物質全体に電界をかける電気手段を有し、
前記体積変調着色剤は、電界に応じて変化する体積を有するタイプの着色剤である請求項２乃至９のうちいずれか一項記載のフィラメント又はファイバ。
【請求項１５】
前記電気手段は、前記細長いコアの外面に沿ってそれぞれ延在する一対の外側電極を有し、
前記フィラメント又はファイバは更に、前記電極を少なくとも部分的に取り囲む少なくとも部分的に光透過性の絶縁コーティングを有する請求項１４記載のフィラメント又はファイバ。
【請求項１６】
前記外側電極は、絡み合わされ、前記コアに沿って実質的に螺旋状に延在する請求項１５記載のフィラメント又はファイバ。
【請求項１７】
前記電気手段は、前記コアに沿って実質的に軸方向に延在する内側電極と、前記格納手段を有し、
前記格納手段は、外側電極を有し、
前記フィラメント又はファイバは更に、前記外側電極を少なくとも部分的に取り囲む光透過性絶縁コーティングを有する請求項１４記載のフィラメント又はファイバ。
【請求項１８】
前記外側電極は、導電性ポリマーを有する請求項１７記載のフィラメント又はファイバ。
【請求項１９】
前記外側電極は、透明である請求項１７又は１８記載のフィラメント又はファイバ。
【請求項２０】
前記外側電極は、弾性である請求項１７乃至１９のうちいずれか一項記載のフィラメント又はファイバ。
【請求項２１】
前記細長いコアの中を軸方向に延在する内側電極を更に有する請求項１５記載のフィラメント又はファイバ。
【請求項２２】
スペーサ手段を更に有する請求項１乃至２１のうちいずれか一項記載のフィラメント又はファイバ。
【請求項２３】
前記スペーサ手段は、前記コアの中を実質的に軸方向に延在する１つ以上のスペーサワイヤを有する請求項２２記載のフィラメント又はファイバ。
【請求項２４】
前記スペーサ手段は、複数の実質的に球状のビーズを有する請求項２２記載のフィラメント又はファイバ。
【請求項２５】
前記実質的に球状のビーズは、前記物質内に含まれる請求項２４記載のフィラメント又はファイバ。
【請求項２６】
前記スペーサ手段は、前記内側電極と前記格納手段との間に位置付けられる請求項１１或いは２１、又は請求項１１或いは２１に従属する任意の請求項に記載のフィラメント又はファイバ。
【請求項２７】
前記スペーサ手段は、前記内側電極と前記１つ以上の外側電極との間に位置付けられる請求項１５或いは１７、又は、請求項１５或いは１７に従属する任意の請求項に記載のフィラメント又はファイバ。
【請求項２８】
前記スペーサ手段は、前記内側電極に沿って螺旋状に延在する１つ以上のスペーサワイヤを有する請求項２６又は２７記載のフィラメント又はファイバ。
【請求項２９】
前記スペーサ手段は、前記内側電極上に配置される実質的に球状のビーズを有する請求項２６又は２７記載のフィラメント又はファイバ。
【請求項３０】
前記スペーサ手段は、非導電性材料から形成される請求項２２乃至２９のうちいずれか一項記載のフィラメント又はファイバ。
【請求項３１】
前記内側電極上の色付き層を更に有する請求項１１或いは２１、又は、請求項１１或いは２１に従属する任意の請求項に記載のフィラメント又はファイバ。
【請求項３２】
請求項１乃至３１のうちいずれか一項記載の複数のフィラメント又はファイバから形成される衣服。
【請求項３３】
請求項１乃至３１のうちいずれか一項記載の複数のフィラメント又はファイバから形成された織物。
【請求項３４】
ファイバ又はフィラメントを形成する方法であって、
細長いコアの形に体積変調着色生成物質を含む格納手段を形作る段階と、
前記格納手段に、前記体積変調着色生成物質を刺激する刺激手段を関連付ける段階と、
体積変調着色生成物質を、前記格納手段により画成される空間に加える段階と、
前記格納手段を密封する段階と、
を有する方法。
【請求項３５】
前記格納手段を形作る段階と、前記格納手段に前記刺激手段を関連付ける段階は、導電性材料を中心の細長コアの形に、また、非導電性材料を、前記導電性細長コアを囲む第１の中空細長部及び前記第１の細長部から間隔がおかれた第２の同軸中空細長部の形に、共押出し成形する単一の段階に組み合わされ、
前記第１の細長部及び前記第２の細長部は、前記第１の細長部から前記第２の細長部に延在する１つ以上の半径方向に延在する部分により接合される請求項３４記載の方法。
【請求項３６】
前記外側細長部の外面上に、透明導電性層を配置する更なる段階を有する請求項３５記載の方法。
【請求項３７】
前記透明導電性層の外面上に、透明保護及び絶縁コーティングを配置する更なる段階を有する請求項３６記載の方法。
【発明の詳細な説明】
【技術分野】
【０００１】
本発明は、ファイバ又はフィラメント、特に、その中に光学的に検出可能な効果を生成する目的でファブリック又は衣服に含めるのに適したファイバ又はフィラメントに係る。
【背景技術】
【０００２】
色変化又は発光するファイバを生成する様々な方法が知られている。
【０００３】
１つの公知の方法は、ファイバの一端に光が供給されると穿孔を通して光を「漏らす」穿孔された光ファイバを使用する。この方法の不利点は、ＬＥＤといった外部光源が必要であることである。
【０００４】
別の公知の方法は更に、特定のサーモクロミック材料、即ち、温度変化の影響を受けて色を変化する材料を使用する。このような方法は、特許文献１に開示される。多くの用途に対して、電気刺激を直接使用することができないことと、周囲の温度が効果に影響を与えることは不利である。
【０００５】
もう１つの公知の方法は、電界の影響下で光を放射する電子発光体材料の使用に基づく。このような方法は、特許文献２及び特許文献３に記載される。少なくとも２つの電極をファイバに組み込むことで、そのような方法に使用する電界を形成する。
【０００６】
この方法を用いてファイバの色の能動的制御を実現することが可能ではあるが、色変化を実現するためにファイバに高電圧をかけなければならない。更に、この方法は、昼の光では、不十分なコントラストを有するファイバを生成する。というのは、エレクトロルミネセント効果は、発光だからである。
【０００７】
本発明は、特に、ウェアラブル電子機器の分野に係る。この分野は、感知、作動、発光、及び色変化といった特定の機能を衣服に組み込むことを目的とする。衣服、家具等の形成のために織物内に色変化特性を組み込むことが可能であることが特に望ましい。このような技術は、ウェラブルディスプレイ、ウェラブル指示器を作成する、及び、美学的な理由のために織物に対する色又はパターンの変化を単純にもたらすために使用することが可能である。
【０００８】
導電性ファイバ及び電子光材料を含むファイバを織り交ぜることによりウェラブルディスプレイを生成することが知られている。このようなディスプレイでの問題は、発光効果は、１つのファイバにまとめられていないということである。これは、効果が、衣服又はファイバから形成された他の作品全体に亘って均一ではないことを意味する。更に、導電性素子を含む織り交ぜられた２つのファイバのセットか、又は、編まれた構造上に配置される追加の導電層のいずれかを使用することが必要である。
【特許文献１】欧州特許出願公開第０４１０４１５号
【特許文献２】英国特許出願第２２７３６０６号
【特許文献３】国際公開第９７／１５９３９号
【発明の開示】
【発明が解決しようとする課題】
【０００９】
本発明は、色変化機能が単一のファイバ又はフィラメントに組み込まれ、その色変化は能動的に制御可能である、ファイバ又はフィラメントを提供することを目的とする。
【００１０】
本発明は、低印加圧力において色変化を実現し、また、良好な色コントラストを達成することをもう１つの目的とする。
【００１１】
本発明は、例えば、衣服又は家具を形成するために使用されうるファブリックを本発明のファイバ又はフィラメントから形成することを更なる目的とする。
【課題を解決するための手段】
【００１２】
本発明の第１の面では、体積変調着色生成物質と、物質を細長いコアの形で封じ込め、少なくとも部分的に光透過性である格納手段と、物質の体積における変化を生成するよう物質を刺激し、それにより、フィラメント又はファイバの色を変化する刺激手段を有するフィラメント又はファイバを提供する。
【００１３】
従って、本発明により、ファイバ又はフィラメントの色変化又は発光の真の一体化を実現することが可能である。何故なら、色変化機能が、単一のファイバ、フィラメント、又は糸に組み込まれるからである。
【００１４】
更に、本発明のファイバ又はフィラメントにおける色変化は能動的に制御することが可能であり、上述した公知の方法において必要である電圧より低い電圧を必要とする。一般的に、色変化は、本発明のファイバ又はフィラメントにおいて、約１０ｍＶの電圧を用いて達成可能である。
【００１５】
更に、体積変調着色生成物質の使用により、色変化は、反射原理を用いて達成される。これは、日中の光において良好なコントラストが達成されることを意味する。
【００１６】
物質は、任意の公知の体積変調着色生成物質を有しえ、例えば、米国特許第６，２８７，４８５号に記載されたようなタイプの物質である。
【００１７】
このような光変調材料は、自然にある色素細胞の挙動を模倣する。イカやタコといった頭足類は、皮膚の色とパターンを素早く変化させる能力を有する。この現象は、それらの皮膚にある色素細胞による。このようなタイプの色素細胞は、着色剤を有する弾性色素袋と、複数の筋繊維からなる。色を変更するメカニズムは、筋肉の動作に応じた色付き袋のサイズの可逆変更をもたらす着色剤の拡散及び凝集に基づく。色素袋が膨張すると、色が現れ、色素袋が収縮すると、色が消える。
【００１８】
この自然の色素細胞の原理に基づいて、色素細胞の色変化メカニズムを真似る材料が設計された（Ｒ．  Ａｋａｓｈｉ、Ｈ．  Ｔｓｕｔｓｕｉ、Ａ．  Ｋｏｍｕｒａによる「Ｐｏｌｙｍｅｒ  ｇｅｌ  ｌｉｇｈｔ−ｅｍｉｔｔｉｎｇ−ｍｏｄｕｌａｔｉｏｎ  ｉｍｉｔａｔｉｎｇ  ｐｉｇｍｅｎｔ  ｃｅｌｌｓ」（Ａｄｖ．  Ｍａｔｅｒ．  ２００２、第１４巻、第２４号、１８０８−１８１１ページ）を参照されたい）。
【００１９】
この材料は、色素といった高い濃度の着色剤を含む刺激反応ゲルである。この材料は、温度、ｐＨ、光、又は電界における変化といった外部刺激に反応して可逆の体積相転移を示す。
【００２０】
温度により誘発された転移に対して３５０回以上の体積変化が観察され、一方、１Ｖ／ｃｍまで低い電界の印加による最大１００回の特定のゲルにおける体積変化が測定された。
【００２１】
光変調のメカニズムは、可逆の色変化による。即ち、光変調は、光吸収の面積の変化と、ゲル内の着色剤の吸収効率との間の相乗効果により引き起こされる。
【００２２】
体積変調着色生成物質は、例えば、液体、ゲル、又は、体積変調着色生成材料を含む他の組成物でありうる。
【００２３】
物質は、水溶液を有し、その中にはポリマーゲル粒子が浸漬されることが有利である。ポリマーゲル粒子は、人工色素細胞を有し、また、５乃至１００μｍの範囲の直径を有することが好適である。
【００２４】
水溶液における色素細胞の濃度は、一般的に５乃至４０重量％デ有り、水溶液中のゲルの固体成分含有量は、一般的に１乃至１０重量％であることが好適である。
【００２５】
刺激手段により刺激されると、ゲル粒子は、基本的に、水溶液から周りの液体を吸収することにより膨らむ。これは、物質の体積全体は実質的に同じままであるが、ゲル粒子により吸収される体積だけが増加することを意味する。
【００２６】
刺激手段は、物質を加熱する加熱手段を有することが好都合である。この物質は、体積変調着色剤を有し、この物質の体積は、温度に応じて変化する。加熱手段は、例えば、細長いコアの中を実質的に軸方向に延在する内側電極の形でありうる。
【００２７】
内側電極は、数十μｍ乃至数百μｍの範囲、例えば、１００μｍの距離だけ格納手段から間隔がおかれることが有利である。
【００２８】
フィラメント又はファイバは、加熱手段の中に電流を通し、それにより、フィラメント又はファイバにおける加熱効果をもたらし、それにより、物質が体積、従って色を変化させる手段を更に有することが好適である。
【００２９】
或いは、刺激手段は、物質全体に電界をかける電気手段を有し、この物質は、体積変調着色剤を有し、この物質の体積は、電界に応じて変化する。
【００３０】
電気手段は、例えば、細長いコアの外面に沿ってそれぞれ延在する一対の電極を有しうる。フィラメント又はファイバは更に、電極を少なくとも部分的に取り囲む少なくとも部分的に光透過性である絶縁コーティングを有する。
【００３１】
電極は、絡み合わされ、コアに沿って実質的に螺旋状にそれぞれ延在することが好適である。
【００３２】
或いは、電気手段は、コアの中を実質的に軸方向に延在する内側電極と、外側電極を形成する格納手段を有しえ、フィラメント又はファイバは更に、第２の電極を少なくとも部分的に取り囲む光透過性絶縁コーティングを有する。
【００３３】
このような実施例では、第２の電極は、事実上、フィラメント又はファイバのシースを形成し、ポリ（エチレンジオキシチオフェン）（ＰＥＤＯＴ）又はポリアニリン（ＰＡＮＩ）といった導電性ポリマーから形成されることが好適である。
【００３４】
ファイバ又はフィラメントは、ファイバを所定の形状に維持するためのスペーサ手段を有することが好適である。体積変調着色生成物質の性質に依存して、特に物質が液体形状を有し、従って、自己保持形状を有さない場合にフィラメント又はファイバ内にスペーサを含むことが有利である。
【００３５】
スペーサ手段は、非導電性材料から形成されることが好適であり、例えば、細長いワイヤ又は実質的に球状のビーズの形でありうる。
【００３６】
コアに沿って実質的に軸方向に延在する内側電極を有する本発明の実施例では、スペーサ手段は、内側電極とシースとの間の距離を決定しうる。外側電極を有する本発明の実施例では、スペーサ手段は、内側電極と外側電極との間に延在する。
【００３７】
スペーサ手段は、内側電極に沿って実質的に螺旋状に延在する１つ以上のワイヤを有することが有利である。１つ以上のワイヤの直径は、数十μｍ乃至数百μｍ、例えば、１００μｍであることが有利である。１つ以上のワイヤの直径が、物質により形成される色変化層の厚さを決定する。
【００３８】
或いは、スペーサ手段は、物質内に入れられた、又は、内側電極上に配置された複数の実質的に球状のビーズを有する。ビーズは、数十μｍ及び数百μｍの範囲、例えば、１００μｍの直径を有することが有利である。
【００３９】
スペーサ手段は、内側電極及び外側電極を有する本発明の実施例において特に有利である。スペーサ手段は、ファイバ又はフィラメントが折れ曲がることを阻止し、従って、電内側電極と外側電極が互いに接触することを阻止する。
【００４０】
格納手段は、少なくとも部分的に透明であることが好適である外側シースを有することが有利である。しかし、外側シースは、或いは、不透明であってもよい。
【００４１】
外側シースは、弾性ポリマーから好都合に形成される。格納手段は、押出し成形されたポリマーから形成された実質的に細長い部材を有することが好適である。この細長い部材は、内側の実質的に円筒型の中空部分と、その第１の部分と実質的に同軸である外側の実質的に円筒型の部分を有することが好適である。
【００４２】
第１の部分は、その中に、内側電極筐体を画成することが好都合である。更に、内側部分と外側部分との間に空間が画成され、その空間は、物質を含むよう適応される。
【００４３】
細長い部材は更に、複数の空洞を画成するために内側部分から外側部分に延在する１つ以上のラジアル部分を有し、各空洞は、物質を含みうる。
【００４４】
ラジアル部分は、実質的に固体でありえ、それにより、空洞間の物質の移動を阻止する。このような実施例では、各空洞内の物質は、刺激を受けると異なる色を生成するよう選択されうる。
【００４５】
或いは、ラジアル部分は、１つ以上の空洞間での連絡を可能にしうる。
【００４６】
細長い部材は更に、内側電極筐体内に位置付けられる内側電極を形成し、細長い部材と共に共押出しされる導電性コアを更に有することが有利である。
【００４７】
本発明の第２の面では、ファイバ又はフィラメントを形成する方法であって、細長いコアの形に体積変調着色生成物質を含む格納手段を形作る段階と、格納手段に、体積変調着色生成物質を刺激する刺激手段を関連付ける段階と、体積変調着色生成物質を、格納手段により画成される空間に加える段階と、格納手段を密封する段階を有する方法を提供する。
【００４８】
格納手段を形作る段階と、格納手段に刺激手段を関連付ける段階は、導電性材料を中心の細長コアの形に、また、非導電性材料を、導電性細長コアを囲む第１の中空細長部及び第１の細長部から間隔がおかれた第２の同軸中空細長部の形に共押出し成形する単一の段階に組み合わされ、第１の細長部及び第２の細長部は、第１の細長部から第２の細長部に延在する１つ以上の半径方向に延在する部分により接合されることが好適である。
【００４９】
本発明の方法は、外側細長部の外面上に、透明導電性層を配置する更なる段階を有することが有利である。本発明の方法は、透明導電性層の外面上に、透明保護及び絶縁コーティングを配置する更なる段階を有することが好適である。
【００５０】
本発明を、添付図面を参照しながら、以下に例示的にのみ説明する。
【発明を実施するための最良の形態】
【００５１】
図１及び２をまず参照するに、本発明のファイバは、参照番号２として全体的に示す。ファイバ２は、ファイバ２の軸に沿って実質的に中心に延在する電極４の形の刺激手段を有する。
【００５２】
ファイバ２は更に、人工色素細胞の形の体積変調着色剤を含む体積変調着色生成物質６を有する。この物質は、透明で、弾性ポリマーから形成されたシースの形である格納手段８内に保持される。電極は、銅といった任意の好適な材料から形成される。電流が電極４内を流されると、電極はその抵抗により加熱する。この熱が、溶液中に浸漬された色素細胞（図示せず）における体積変化を刺激する物質６における温度上昇を引き起こす。これは次に色変化を引き起こす。シース８は、透明であるので、色変化は、ファイバ２の長さに沿って見ることができる。色素細胞は、水溶液内に浸漬されたポリマーゲル粒子内に含まれる。
【００５３】
一般的に、ゲル粒子は、それぞれ、５乃至１０μｍの範囲である直径を有し、物質２の径方向深度は、数十μｍ乃至数百μｍであり、一般的に、約１００μｍである。
【００５４】
次に、図３及び４を参照するに、本発明のファイバの第２の実施例を、参照番号２０として全体的に示す。ファイバ２０は、互いに絡み合わされ、ファイバ２０に沿って軸方向に延在する２つの電極２２、２４を有する。各電極２２、２４は、ファイバ２０に沿って実質的に螺旋状に延在する。ファイバ２０は更に、外側シース２８内に入れられる色素細胞（図示せず）を含む体積変調着色生成物質２６を有する。２つの電極２２、２４間に電圧差をかけることにより、色素細胞における体積変化を刺激する電界が誘発され、その結果、色変化がもたらされる。透明の絶縁コーティング３０が電極２２、２４の周りに塗布される。シース２８の直径は、数十μｍ乃至数百μｍの間であり、一般的に、１００μｍである。
【００５５】
次に、図５及び６を参照するに、本発明のファイバの第３の実施例を、参照番号４０として全体的に示す。ファイバ４０は、中心電極４２を有し、中心電極は、色素細胞（図示せず）を含む体積変調着色生成物質４４により囲まれる。第２の電極４６は細胞の形にあり、従って、格納手段としても作用する。第２の電極は、ＩＴＯ（インジウムスズ酸化物）といった透明の導電性材料から形成されることが好適である。しかし、この材料は、限定された弾性を有する。というのは、この材料は、比較的低い変形（一般的に２％）において破損するからである。ファイバの弾性を維持するために、電極４６は、ＰＥＤＯＴ又はＰＡＮＩといった導電性ポリマーから形成されうる。電界が、電極４２及び４６間に電圧差をかけることによって作成され、これは、色素細胞の体積変化、従って、ファイバ４０に色変化をもたらす。ファイバは更に、電極４６を囲む透明絶縁シース４８を有する。
【００５６】
本願において上述した本発明の第１の実施例及び第３の実施例では、中心電極（４、４２）に任意選択の色付き層を追加しうる。このような実施例は、色付き層の色が見える状態と、色素細胞の体積増加時に色素細胞の色が見える第２の状態との間で切り替わることを可能にする。色付き層の色は、色素細胞内の色素の色と同様に自由に選択されうる。しかし、色素の色は、層の色とは異ならなくてはならない。
【００５７】
図７ａ及び７ｂを参照するに、本発明のファイバの第４の実施例を、参照番号７０として全体的に示す。ファイバ７０は、ファイバ４０（図５及び６）と類似しており、図５及び６において示す部分に対応する部分には、理解をし易いよう対応する参照番号を付している。
【００５８】
ファイバ７０は更に、スペーサワイヤ７２の形のスペーサを有する。スペーサワイヤ７２は、物質６の体積に明確な厚さが存在することを確実にする。これは、物質６は、液体状の特性を有し、従って、固定の形状を有さないので必要である。この実施例におけるスペーサは、１つ以上のワイヤの形であり、これらは、内側電極４２の周りに絡ませられる。電極４２と電極７４との間の距離は、スペーサワイヤ７２の直径により決定される。図示する実施例では、各スペーサワイヤの直径は、数十μｍ乃至数百μｍの間であり、一般的に、１０μｍである。スペーサワイヤは、内側電極と外側電極の間の短絡を阻止するよう非導電性であるべきである。
【００５９】
図８ａ及び８ｂを参照するに、本発明のファイバの第５の実施例を、参照番号８０として全体的に示す。ファイバ８０は、中心電極８２を有し、この中心電極は、体積変調着色生成物質８６、外側電極８４、及び外側シース８８により囲まれる。ファイバ８０は更に、物質８６内に入れられた実質的に球状のスペーサビーズの形のスペーサ９０を有する。各ビーズ９０の直径が、内側電極８２と外側電極８４との間の所望の距離に実質的に等しい。これは、逆に、物質８６の厚さを決定し、この厚さは、一般的に、数十μｍ乃至数百μｍ、例えば、１００μｍである。スペーサ球体９０は、内側電極と外側電極の間の短絡を阻止するよう非導電性であるべきである。ビーズは、物質８６内に組み込まれるか、又は、内側電極８２上に直接置かれてもよい。
【００６０】
図９を参照するに、本発明のファイバの第６の実施例を、参照番号１００として全体的に示す。ファイバ１００は、共押出しにより形成される。少なくとも２つの材料、即ち、内側電極１１０を形成する導電性材料と、シース１２０を形成する非導電性材料が押出し処理に使用される。非導電性材料は、例えば、ポリマー材料でありうる。
【００６１】
シース１２０は、内側にある実質的に円筒状の部分１３０により中心電極１１０を少なくとも実質的に取り込むよう形作られる。シースは更に、中心部分１３０から、中心部分１３０と実質的に同軸である外側の実質的に円筒状の部分１５０に延在し、互いに間隔があけられるラジアル部分１４０を有する。従って、シース１２０は、ファイバ１００の長さに沿って延在する空洞１６０を画成する。空洞は、互いに分離されていても、又は、物質が空洞間を移動可能であってもよい。
【００６２】
このような幾何学は、スピナレットを通して共押出しする周知の技術を用いて得られる。ファイバ１００は更に、例えば、ＩＴＯ又は導電性ポリマーから形成される透明導電性層１７０と、透明保護及び絶縁コーティング１８０を有する。層１７０及びコーティング１８０は、押出しシース１２０の周りに置かれる。空洞１６０は次に、例えば、キャピラリー充填法により体積変調着色生成物質１９０で充填される。
【００６３】
図９は、３つの空洞１６０を有するファイバ１００を示すが、他の幾何学及び異なる数の空洞も可能であることを理解するべきである。シース１８０は、ファイバ１００に強度及び構造を与える。
【００６４】
中心電極及び／又はシェル電極と、例えば、図３に示す巻き付けられた電極との他の可能な組合せも、電界を生成するために可能であることを理解するべきである。
【００６５】
色素細胞における色素は、異なる色を得るために様々であることが可能である。色変化織物が、異なる色特性又は色素を有するファイバの様々なセットを織り交ぜ、各セットを別々に制御することにより得られる。
【図面の簡単な説明】
【００６６】
【図１】本発明のファイバの第１の実施例を示す断面図である。
【図２】図１のファイバを示す断面図である。
【図３】本発明のファイバの第２の実施例を示す図である。
【図４】図３のファイバを示す断面図である。
【図５】本発明のファイバの第３の実施例を示す断面図である。
【図６】図５のファイバを示す図である。
【図７ａ】本発明のファイバの第４の実施例を示す図である。
【図７ｂ】本発明のファイバの第４の実施例を示す図である。
【図８ａ】本発明のファイバの第５の実施例を示す図である。
【図８ｂ】本発明のファイバの第５の実施例を示す図である。
【図９】本発明のファイバの第６の実施例を示す図である。
【図１】
2007521420.tif 000003
【図２】
2007521420.tif 000004
【図３】
2007521420.tif 000005
【図４】
2007521420.tif 000006
【図５】
2007521420.tif 000007
【図６】
2007521420.tif 000008
【図７ａ】
2007521420.tif 000009
【図７ｂ】
2007521420.tif 000010
【図８ａ】
2007521420.tif 000011
【図８ｂ】
2007521420.tif 000012
【図９】
2007521420.tif 000013
【国際調査報告】
2007521420.tif 000014
2007521420.tif 000015